(57)【特許請求の範囲】
【請求項１】
対物側の群レンズが複数のレンズから構成され、中間鏡筒の前端部に取付けられる光学装置において、
前記複数のレンズの内の撮像手段側のレンズをリングによって独立に保持し、
前記複数のレンズの内の前記撮像手段側のレンズを除く他のレンズを前側鏡筒に保持するとともに、前記リングを前記前側鏡筒内に配し、
前記リングに外周側に突出する押えアームを連設し、該押えアームを前記前側鏡筒の挿通部を通して外周側に突出させ、前記押えアームをばねを介して前記中間鏡筒の前端部に調整可能にねじで取付け、
しかも前記前側鏡筒を前記ばねの反力によって前記中間鏡筒の前端部に押圧固定し、
前記ばねが前記前側鏡筒の外周部に取付けられるリング状の板ばねから成り、前記リングの押えアームと対応する位置に設けられている前記リング状の板ばねの係止部によって前記アームを前記中間鏡筒の前端部から離間する方向に付勢することを特徴とする光学装置。
【請求項２】
前記リング状の板ばねの係止部が前記リングのアームと対応する位置に設けられている切欠きから構成され、該切欠きを前記押えアームの先端部に形成された爪と係合させることを特徴とする請求項１に記載の光学装置。
【請求項３】
前記リング状の板ばねの係止部間の中間位置が前記前側鏡筒の外周部に形成された突部を押圧して前記前側鏡筒を前記中間鏡筒の前端部に押圧固定することを特徴とする請求項１に記載の光学装置。
【発明の詳細な説明】
【０００１】
【発明の属する技術分野】
本発明は光学装置に係り、とくに対物側の群レンズが複数のレンズから構成され、中間鏡筒の前端部に取付けられるようになっている光学装置に関する。
【０００２】
【従来の技術】
図６は従来のビデオカメラや電子スチルカメラ等において用いられているズーム機能付きの４群インナーフォーカスズームレンズから成る光学装置を示している。この装置はＧ１、Ｇ２、Ｇ３の３枚のレンズを備える１群レンズ１と、Ｇ４、Ｇ５、Ｇ６の３枚のレンズを備える２群レンズ２と、Ｇ７、Ｇ８、Ｇ９の３枚のレンズから成る３群レンズ３と、Ｇ１０の単一のレンズから成る４群レンズ４とから構成される。そして１群レンズ１が前側鏡筒５内に収納保持され、これに対して２群レンズ２、３群レンズ３、および４群レンズ４が後側の中間鏡筒６内に収納される。
【０００３】
ここで後側の中間鏡筒６内には上記２群レンズ２を支持する移動枠７と４群レンズ４を支持する移動枠８とがあり、これらの移動枠７、８をガイドロッド９によって移動可能に支持している。２群レンズ２はズームレンズであって、移動枠７をガイドロッド９によって前後方向に移動させることにより、ズーム動作が行なわれる。これに対して４群レンズ４を取付けている移動枠８をガイドロッド９によって前後方向に移動させると、フォーカス動作が行なわれる。
【０００４】
このような従来の光学装置において、とくに光軸合わせのために後側の中間鏡筒６の前端側の外周部に図７に示すように、円周方向に１２０度離れた３個所の位置に取付け座１１が設けられ、これらの取付け座１１に対してばね座金１２を外周側に備える調整ねじ１３によってねじ込み調整を行なうようにしている。すなわち１２０度離れた３個所の調整ねじ１３のねじ込み量によって、前側鏡筒５を後側の中間鏡筒６の前端部に対してチルトさせ、これによって光軸を背面側に配されているＣＣＤから成る撮像素子１５の中心部に一致させるようにしている。なおこの装置はその全体を覆う外筒１４によって覆われている。
【０００５】
【発明が解決しようとする課題】
このようなビデオカメラ等の撮像装置の光学系を構成する光学装置において、光学的な性能をある一定レベル以上に調整する場合には、従来は３本のねじ１３のねじ込み量を調整して図６に示す１群レンズ１全体をあおり調整したり偏芯させるようにしていた。しかるにこのような方法によると、前側鏡筒５と中間鏡筒６あるいは後側鏡筒とによって挟持されているガイドロッド９やリニアモータ用のヨークの位置が変化する。ガイドロッド９の場合にはこれに沿って移動する移動枠７、８の位置に影響を与えるために、ズーム動作やフォーカス動作等の光学性能が悪化する問題があった。
【０００６】
このように１群レンズ１全体を調芯することによって鏡筒の外形が変化するために、セットへの取付けの際における外装キャビネットに対する当り方やクリアランスが個々に相違し、各種の不具合を生じていた。また上述の如く１群レンズ１全体を調芯するようにした構造によると、ユーザーがこのビデオカメラを操作する際に、１群レンズ１のＧ１レンズが押された場合には、１群レンズ１全体の調芯がずれて、光学性能が悪化する問題があった。
【０００７】
本発明はこのような問題点に鑑みてなされたものであって、調芯の動作を行なっても他の部品に影響を与えたりその位置を変更させたりすることがないようにした光学装置を提供することを目的とする。
【０００８】
【課題を解決するための手段】
比較発明は、対物側の群レンズが複数のレンズから構成され、中間鏡筒の前端部に取付けられる光学装置において、前記複数のレンズの内の撮像手段側のレンズを前記中間鏡筒の前端部に角度調整可能に取付けるとともに、前記複数のレンズの内の前記撮像手段側のレンズを除く他のレンズを前記中間鏡筒の前端部に角度調整不能に固定することを特徴とする光学装置に関するものである。
【０００９】
ここで前記複数のレンズの内の撮像手段側のレンズを保持しているリングを弾性手段を介してねじによって前記中間鏡筒の前端部に取付け、このときに前記ねじのねじ込み量を調整することにより前記中間鏡筒の前端部に角度調整可能に取付けてよい。また前記中間鏡筒内にズームレンズとフォーカスレンズとが光軸方向に移動自在に配されるとともに、前記ズームレンズおよびフォーカスレンズを光軸方向に案内する案内手段の前端部が前記対物側の群レンズ中の撮像手段側のレンズを除く他のレンズを保持する前側鏡筒によって固定されてよい。
【００１０】
別の比較発明は、対物側の群レンズが複数のレンズから構成され、中間鏡筒の前端部に取付けられる光学装置において、前記複数のレンズの内の撮像手段側のレンズをリングによって独立に保持し、前記複数のレンズの内の前記撮像手段側のレンズを除く他のレンズを前側鏡筒に保持するとともに、前記リングを前記前側鏡筒内に配し、前記リングに外周側に突出する押えアームを連設し、該押えアームを前記前側鏡筒の挿通部を通して外周側に突出させ、前記押えアームをばねを介して前記中間鏡筒の前端部に調整可能にねじで取付け、しかも前記前側鏡筒を前記中間鏡筒に角度調整不能に固定することを特徴とする光学装置に関するものである。
【００１１】
ここで前記リングがばね座金を介して前記中間鏡筒の前端側の取付け座にねじで取付けられるとともに、前記前側鏡筒が前記中間鏡筒の取付け座に直接固定されてよい。また前記前側鏡筒の挿通部が前記前側鏡筒の前記中間鏡筒との接合面に形成された切欠きであってよい。
【００１２】
本願発明は、対物側の群レンズが複数のレンズから構成され、中間鏡筒の前端部に取付けられる光学装置において、前記複数のレンズの内の撮像手段側のレンズをリングによって独立に保持し、前記複数のレンズの内の前記撮像手段側のレンズを除く他のレンズを前側鏡筒に保持するとともに、前記リングを前記前側鏡筒内に配し、前記リングに外周側に突出する押えアームを連設し、該押えアームを前記前側鏡筒の挿通部を通して外周側に突出させ、前記押えアームをばねを介して前記中間鏡筒の前端部に調整可能にねじで取付け、前記ばねが前記前側鏡筒の外周部に取付けられるリング状の板ばねから成り、前記リングの押えアームと対応する位置に設けられている前記リング状の板ばねの係止部によって前記アームを前記中間鏡筒の前端部から離間する方向に付勢しており、しかも前記前側鏡筒を前記ばねの反力によって前記中間鏡筒の前端部に押圧固定することを特徴とする光学装置に関するものである。
【００１３】
ここで前記リング状の板ばねの係止部が前記リングのアームと対応する位置に設けられている切欠きから構成され、該切欠きを前記押えアームの先端部に形成された爪と係合させてよい。また前記リング状の板ばねの係止部間の中間位置が前記前側鏡筒の外周部に形成された突部を押圧して前記前側鏡筒を前記中間鏡筒の前端部に押圧固定してよい。
【００１４】
本願に含まれる発明の好ましい態様は、ビデオカメラ等の撮像装置の光学系において、光学的な性能をある一定レベル以上に調整する場合に、対物側の１群レンズ全体を移動することなく、１群レンズ中の１枚だけのレンズを移動させることによって１群レンズを保持している前側鏡筒と他の部品とによって挟持されているガイド軸、リニアモータのヨーク等の位置に影響を与えない構造としたものである。
【００１５】
ここで上記の調芯時に１群レンズの位置を不変とすることによって、キャビネットから成るセット外筐との間のクリアランス等に影響を与えない構造とすることができる。また上記の調芯時に、前側鏡筒は中間鏡筒に対して一義的に位置決めされた状態で結合されるために、ユーザーが使用している際に１群レンズの対物側のＧ１レンズが押されても光学性能が変化しなくなる。
【００１６】
ここで１群レンズを保持する前側鏡筒の中間鏡筒に対する取付けは、中間鏡筒の取付け座に対して前側鏡筒を直接ビス止めしてよい。あるいはまた１群レンズ中のＧ３レンズを保持するリングの押えアームを中間鏡筒から離間するように付勢するリング状の板ばねを用い、この板ばねの反力によって前側鏡筒を中間鏡筒の前端部に押圧固定してよい。
【００１７】
【発明の実施の形態】
【比較の形態】
以下比較の形態を説明する。図１は比較の形態に係る光学装置の全体の構成を示している。この装置はその外側のハウジングを構成する筒状の外筒２０を備えている。そして外筒２０内には前側鏡筒２１と後側の中間鏡筒２２とが光軸方向にその順序に配列されている。そして後側の中間鏡筒２２の内部には円周方向に互いにほぼ１８０度離れた位置に一対のガイドロッド２３が配されている。
【００１８】
上記前側鏡筒２１の内側には、Ｇ１、Ｇ２、Ｇ３から成る１群レンズ２６が配されている。これに対して後側の中間鏡筒２２内にはＧ４、Ｇ５、Ｇ６から成る２群レンズ２７と、Ｇ７、Ｇ８、Ｇ９から成る３群レンズ２８と、Ｇ１０から成る４群レンズ２９とが収納されている。ここで２群レンズ２７は移動枠３１上に保持されている。また４群レンズ２９は移動枠３２上に取付けられている。そしてこれらの移動枠３１、３２が上記ガイドロッド２３によって光軸方向に移動されるようになっている。これに対してＧ７、Ｇ８、Ｇ９から成る３群レンズ２８は後側の中間鏡筒２２の中間位置に設けられている仕切り壁３３、３４上に取付けられている。
【００１９】
また上記４群レンズ２９の背面側には赤外線フィルタ３５、ローパスフィルタ３６、撮像素子３７がこれらの順に光軸方向に沿って配列されている。ここで赤外線フィルタ３５とローパスフィルタ３６とによって光学フィルタが構成される。撮像素子３７はＣＣＤから構成される。
【００２０】
以上のような光学装置において、とくにＧ４、Ｇ５、Ｇ６から成る２群レンズ２７はズームレンズを構成しており、移動枠３１をガイドロッド２３に沿って移動させるとズーム動作が行なわれる。移動枠３１を前方に移動させるとワイドになり、移動枠３１を後側に移動させるテレになる。これに対して４群レンズ２９はフォーカスレンズを構成しており、移動枠３２をガイドロッド２３によって光軸方向に移動させると、フォーカス動作が行なわれる。移動枠３２を前方に移動させると焦点距離が短くなり、移動枠３２を後方に移動させると焦点距離が長くなる。
【００２１】
次にこの光学装置の光軸合わせのための機構について説明する。図１および図２に示すように、前側鏡筒２１にはその撮像装置側にフランジ４１が連設されるとともに、フランジ４１には円周方向に沿って１２０度ずつ離れた位置ビス挿通孔４２が設けられ、このビス挿通孔４２を挿通する３本のビス４３を中間鏡筒２２の取付け座４４にねじ込み固定することによって、前側鏡筒２１が中間鏡筒２２の前端部に固定されるようになっている。
【００２２】
１群レンズ２６中Ｇ３レンズは他のレンズから独立してレンズ保持用リング４７によって保持されるようになっている。リング４７は図２に示すように円周方向に１２０度ずつ離れた位置に３本の押えアーム４８を備えている。そしてこれらの押えアーム４８を前側鏡筒２１の切欠き４９内に受入れるようになっている。
【００２３】
上記押えアーム４８はばね座金５０を介してビス５１によって中間鏡筒２２の前端部に固定されるようになっている。すなわちビス５１を押えアーム４８のビス挿通孔５２を挿通させ、さらにばね座金５０を挿通した状態で中間鏡筒２２の取付け座５３にねじ込み固定するようにしている。
【００２４】
従ってＧ３レンズを保持するリング４７の取付けは、ビス５１をばね座金５０を変形させながらねじ込むことになり、アーム４８の下面と中間鏡筒２２の取付け座５３との間の隙間が任意に調整されることになる。このような調整によってリング４７に取付けられているＧ３レンズの光軸の角度調整を行なうことを可能にしている。
【００２５】
一般にビデオカメラ等の撮像装置の光学系において、図１および図２に示すように、前側鏡筒２１と図示を省略した後部鏡筒とによってガイドロッド２３の両端が固定保持されている。そしてこのようなガイドロッド２３によって移動枠３１を介してズームレンズを構成する２群レンズ２７が光軸方向に沿って移動されるようになっている。また移動枠３１を移動させる推力を発生するリニアモータのヨークも同様に前側鏡筒２１と中間鏡筒２２とによって固定されている。
【００２６】
ここで前側鏡筒２１には１群レンズ２６中のＧ１レンズとＧ２レンズがそれぞれ取付けられており、これに対して１群レング２６のＧ３レンズは前側鏡筒２１から独立になっており、リング４７に保持されるとともに、このリング４７がビス５１によって中間鏡筒２２に取付けられるようになっている。とくにこの光学系の特徴は、前側鏡筒２１が中間鏡筒２２に対して位置を変化させることなく一義的に位置決めされた状態で固定されることにある。
【００２７】
光学性能をある一定レベル以上に調整する場合に、１群レンズ２６中のＧ３レンズを固定保持したリング４７を調整することによって、そのレベル調整を行なうことが可能になる。本実施例においてはチルト調整、すなわちあおり調芯であるが、シフト、すなわち偏芯にも応用できる。
【００２８】
Ｇ３レンズのリング４７はばね座金５０によって常に光軸方向であって中間鏡筒２２の前端部から離間させるような方向の力を受け、この力をビス５１によって受止めようにしている。またばね座金５０およびビス５１は円周方向に３個所に配されている。ビス５１の高さ、すなわち締込み具合のバランスによって、Ｇ３レンズのあおり方向に位置を変化させ、調芯を行なうことが可能になる。ちなみに従来の構造（図６および図７参照）は、前側鏡筒５にＧ１レンズ、Ｇ２レンズ、およびＧ３レンズが総て取付けられ、前側鏡筒５の全体を中間鏡筒６に対して移動させて調芯を行なうようになっていた。
【００２９】
本比較の形態の光学装置においては、前側鏡筒２１が中間鏡筒２２の前端部に一義的に位置決め固定されており、Ｇ３レンズをリング４７に保持した状態で前側鏡筒２１と独立に調芯を行なうようにしているために、Ｇ３レンズで調芯の動作を行なってもガイドロッド２３の位置が変化しない。よってガイドロッド２３に沿って移動する移動枠３１の２群レンズ２７の中心および４群レンズ２９のＧ４レンズの中心も変化しない。
【００３０】
従来の構造によれば、図６に示す前側鏡筒５を移動調整させて調芯動作を行なうと、ガイドロッド９が一緒に動いてしまい、調芯が困難になっていた。しかるに本実施の形態によれば、的確かつ容易に光学性能を上げるための調芯を行なうことができる。また上記移動枠３１、３２を移動するための推力を発生するリニアモータのヨークも同様に前側鏡筒２１と中間鏡筒２２とによって挟持される構造になっているために、ヨークも影響を受けることがない。また前側鏡筒２１は中間鏡筒２２の前端部に対して完全に面受けされ、調芯によって位置が変化しないために、セットの外装との間のクリアランス等がばらつくことがない。
【００３１】
またこのような光学装置をビデオカメラに適用した場合に、ユーザーが使用時に最も外側に位置するＧ１レンズに力を加えた場合に、従来だと前側鏡筒がこの力で移動しないように固定するのが困難であったが、本比較の形態では上述の如く、前側鏡筒２１の位置がずれて光学性能が悪化することがなくなる。
【００３２】
このように本比較の形態は、前側鏡筒２１とＧ３レンズのリング４７とを互いに独立の部材とし、リング４７をばね座金５０を介して３本のビス５１によって中間鏡筒２２に固定するようにしている。このときに各ビス５１のねじ込み量を調整することによって、Ｇ３レンズのあおり角を可変にでき、これによってＧ３レンズのチルト調芯が行なわれる。これに対して前側鏡筒２１は３本のビス４３で中間鏡筒２２の前端側の取付け座４４に直接締結固定される。このときにリニアモータのヨークやガイドロッド２３の前端を前側鏡筒２１で受けて固定する構造を採用する際に、Ｇ３レンズの調芯をしても他の部材の姿勢に影響を与えることなく行なうことが可能になる。
【００３３】
本比較の形態は上述の如く、１群レンズ２６の全体を調芯するのではなく、１群レンズに含まれるＧ１レンズ、Ｇ２レンズ、およびＧ３レンズ中のＧ３レンズのみを独立させて調芯する構造を採用している。よってガイドロッド２３やガイドロッド２３に沿って移動する各種の移動枠３１、３２、リニアモータのヨーク等の位置に影響を与えることがなく、的確にかつ容易に光学性能を向上させることができる。
【００３４】
また１群レンズ２６を保持する前側鏡筒２１の位置を変化させることなく調芯できるために、セットの外筐との間のクリアランスや受け等に影響を与えることがない。またユーザーがこの光学系を用いたビデオカメラを使用する際に、１群レンズ２６中のＧ１レンズが外力に押されても、１群枠を構成する前側鏡筒２１が中間鏡筒２２に対して面受けされていて移動することがないために、光学性能が悪化しない。
【００３５】
【実施の形態】
次に、本発明の実施の形態を図３〜図５によって説明する。この実施の形態は上記比較の形態の３個のばね座金５０に代えて単一のリング状板ばね５６を用いるようにし、このリング状板ばね５６によって前側鏡筒２１を中間鏡筒２２の前端面に押圧付勢することにより、前側鏡筒２１を取付け固定するためのビス４３を省略したものである。
【００３６】
リング状板ばね５６はばね鋼あるいはりん青銅から製作され、その円周方向の１２０度ずつ離れた位置に外周側に突出して屈曲部５７が形成されている。なおリング状板ばね５６は他の弾性材料から製作されてもよい。これらの屈曲部５７には切欠き５８が形成され、この切欠き５８を上記Ｇ３レンズのリング４７の押えアーム４８の先端部に設けられている爪５９に係合させるようにしている。そしてこのリング状板ばね５６の屈曲部５７間の中間位置において前側鏡筒２１のフランジ４１上に設けられている突部６０を押圧し、これによって前側鏡筒２１を中間鏡筒２２の前端面に圧着するようにしている。
【００３７】
すなわちこの実施の形態は、リング状板ばね５６によって前側鏡筒２１の固定とリング４７との付勢を兼用するようにした構造を特徴としている。前側鏡筒２１の背面側にリング４７を挿入し、リング状板ばね５６を前側鏡筒２１の前方から装着する。そして板ばね５６の円周方向の３個所の屈曲部５７の切欠き５８にそれぞれリング４７の押えアーム４８の爪５９を係合させる。
【００３８】
このような状態で前側鏡筒２１、リング４７、および板ばね５６から成る組立て体を中間鏡筒２２の前端部に３本のビス５１によって締結する。このときに板ばね５６の反力によって前側鏡筒２１は突部６０が図５において下方へ押圧され、中間鏡筒２２の前端面に圧着固定される。またリング４７は板ばね５６の屈曲部５７の切欠き５８によってアーム４８の先端部が上方への力を受け、アーム４８はビス５１の座面に付勢される。従ってビス５１のねじ込み調整によってリング４７のあおり調整が可能になる。
【００３９】
このような構造は上記比較の形態と比較すれば明らかな如く、前側鏡筒２１を中間鏡筒２２に固定するための３本のビス４３を不要にし、さらに３個のばね座金５０に代えて単一の板ばね５６とすることができる。また中間鏡筒２２側には前側鏡筒２１を固定するための取付け座４４を必要としなくなる。また組立ての際においてもビス５１のねじ締めとスナップフィットのみを行なえばよく、組立て工数が削減される。また上記比較の形態におけるばね座金５０を使用しないために、ばね座金５０を鏡筒内に落とすトラブルが防止され、組立てが容易になる利点がある。
【００４０】
【発明の効果】
比較発明は、対物側の群レンズが複数のレンズから構成され、中間鏡筒の前端部に取付けられる光学装置において、複数のレンズの内の撮像手段側のレンズを中間鏡筒の前端部に角度調整可能に取付けるとともに、複数のレンズの内の撮像手段側のレンズを除く他のレンズを中間鏡筒の前端部に角度調整不能に固定するものである。
【００４１】
従ってこのような光学装置によれば、複数のレンズの内の撮像手段側のレンズを角度調整するだけで光学調芯が行なわれ、光学調芯の動作が大がかりにならず、光学調芯を行なっても光学性能が悪化しない構造が提供される。
【００４２】
別の比較発明は、対物側の群レンズが複数のレンズから構成され、中間鏡筒の前端部に取付けられる光学装置において、複数のレンズの内の撮像手段側のレンズをリングによって独立に保持し、複数のレンズの内の撮像手段側のレンズを除く他のレンズを前側鏡筒に保持するとともに、リングを前側鏡筒内に配し、リングに外周側に突出する押えアームを連設し、該押えアームを前側鏡筒の挿通部を通して外周側に突出させ、押えアームをばねを介して中間鏡筒の前端部に調整可能にねじで取付け、しかも前側鏡筒を中間鏡筒に角度調整不能に固定するものである。
【００４３】
従って押えアームを中間鏡筒に対してねじ込み調整するだけで調芯動作が行なわれ、前側鏡筒によって固定されている部品に対して悪影響を及すことがなく、光学性能の悪化が防止される。
【００４４】
本願発明は、対物側の群レンズが複数のレンズから構成され、中間鏡筒の前端部に取付けられる光学装置において、複数のレンズの内の撮像手段側のレンズをリングによって独立に保持し、複数のレンズの内の撮像手段側のレンズを除く他のレンズを前側鏡筒に保持するとともに、リングを前側鏡筒内に配し、リングに外周側に突出する押えアームを連設し、該押えアームを前側鏡筒の挿通部を通して外周側に突出させ、押えアームをばねを介して中間鏡筒の前端部に調整可能にねじで取付け、しかも前側鏡筒をばねの反力によって中間鏡筒の前端部に押圧固定するものである。
【００４５】
従ってこのような光学装置によれば、ばねの付勢力に抗して押えアームのねじ込み調整を行なうことによって調芯動作が行なわれる。しかもばねの反力によって前側鏡筒が中間鏡筒の前端部に押圧固定されるために、前側鏡筒を固定するための専用の固定手段を必要としなくなり、これによって部品点数が少なくなるとともに、組立て工数が削減される。
【図面の簡単な説明】
【図１】比較の形態の光学装置の縦断面図である。
【図２】比較の形態の光学装置の前側鏡筒の組立てを示す分解斜視図である。
【図３】実施の形態の光学装置の前側鏡筒の組立てを示す分解斜視図である。
【図４】同組立てた状態の要部外観斜視図である。
【図５】同組立てた状態の側面図である。
【図６】従来の光学装置の縦断面図である。
【図７】同光学装置の分解斜視図である。
【符号の説明】
１‥‥１群レンズ（Ｇ１、Ｇ２、Ｇ３）、２‥‥２群レンズ（Ｇ４、Ｇ５、Ｇ６）、３‥‥３群レンズ（Ｇ７、Ｇ８、Ｇ９）、４‥‥４群レンズ（Ｇ１０）、５‥‥前側鏡筒、６‥‥中間鏡筒、７、８‥‥移動枠、９‥‥ガイドロッド、１１‥‥取付け座、１２‥‥ばね、１３‥‥調整ねじ、１４‥‥外筒、１５‥‥撮像素子（ＣＣＤ）、２０‥‥外筒、２１‥‥前側鏡筒、２２‥‥中間鏡筒、２３‥‥ガイドロッド、２６‥‥１群レンズ（Ｇ１、Ｇ２、Ｇ３）、２７‥‥２群レンズ（Ｇ４、Ｇ５、Ｇ６）、２８‥‥３群レンズ（Ｇ７、Ｇ８、Ｇ９）、２９‥‥４群レンズ（Ｇ１０）、３１、３２‥‥移動枠、３３、３４‥‥仕切り壁、３５‥‥赤外線フィルタ、３６‥‥ローパスフィルタ、３７‥‥撮像素子、４１‥‥フランジ、４２‥‥ビス挿通孔、４３‥‥ビス、４４‥‥取付け座、４７‥‥リング、４８‥‥押えアーム、４９‥‥切欠き、５０‥‥ばね座金、５１‥‥ビス、５２‥‥ビス挿通孔、５３‥‥取付け座、５６‥‥リング状板ばね、５７‥‥屈曲部、５８‥‥切欠き、５９‥‥爪、６０‥‥突部
【図１】
0004761099.tif 000002
【図２】
0004761099.tif 000003
【図３】
0004761099.tif 000004
【図４】
0004761099.tif 000005
【図５】
0004761099.tif 000006
【図６】
0004761099.tif 000007
【図７】
0004761099.tif 000008